(57)【要約】【課題】高価な部品等を追加することなく，上記温度センサ等の電気又は電子部品を自動的に清掃でき，フィルタの清掃を行う動作に伴って同時に上記電気又は電子部品の清掃を可能とする電気又は電子部品の清掃装置及びこれを搭載した空気調節装置の提供。【解決手段】空気吸引部に走行自在に設けられ，該空気吸引部を通過する空気中の塵埃を除去するフィルタと，該フィルタに対して相対的に移動自在で，該フィルタに付着した塵埃を除去する除塵手段と，前記空気吸引部の近傍に設けられた電気又は電子部品とを備えてなる電気又は電子部品の清掃装置において，前記フィルタに取付けられ，前記フィルタの前記空気吸引部に対する移動に伴って移動し，前記電気又は電子部品と接触して該電気又は電子部品の表面を清掃する移動ブラシとを備えてなる電気又は電子部品の清掃装置。【選択図】図２
2008215688.tif 000002
【特許請求の範囲】
【請求項１】
空気吸引部に走行自在に設けられ，該空気吸引部を通過する空気中の塵埃を除去するフィルタと，
該フィルタに対して相対的に移動自在で，該フィルタに付着した塵埃を除去する除塵手段と，
前記空気吸引部の近傍に設けられた電気又は電子部品とを備えてなる電気又は電子部品の清掃装置において，
前記フィルタに取付けられ，前記フィルタの前記空気吸引部に対する移動に伴って移動し，前記電気又は電子部品と接触して該電気又は電子部品の表面を清掃する移動ブラシとを備えてなる電気又は電子部品の清掃装置。
【請求項２】
前記除塵手段が，フィルタを案内する案内路を有し内部に空気流路を発生する除塵ボックスと，該除塵ボックス内でその長さ方向に沿って配置された清掃ブラシと，該清掃ブラシを回転駆動するモータと，前記フィルタを除塵ボックスの長さ方向と直交する方向に相対的に往復移動させながら，前記モータにより清掃ブラシを回転駆動させてフィルタの表面に付着した塵埃を強制的に離脱させる駆動制御装置とを備えてなる請求項１記載の電気又は電子部品の清掃装置。
【請求項３】
前記除塵ボックス内に空気流を発生させる空気流発生手段が設けられ，前記清掃ブラシによりフィルタから強制的に離脱させた塵埃を空気流発生手段により除塵ボックスから除去するようにした請求項２に記載の電気又は電子部品の清掃装置。
【請求項４】
前記除塵ボックスが，フィルタを挟んでその表裏両側に夫々配置され，前記除塵ボックス間に形成された隙間がフィルタの案内路とされたことを特徴とする請求項２あるいは３のいずれかに記載の電気又は電子部品の清掃装置。
【請求項５】
請求項１〜４のいずれかに記載の電子又は電気部品の清掃装置を備えてなる空気調整装置。
【請求項６】
装置本体の吸込口から吹出口に至る空気通路に空気中の塵埃を除去するフィルタを備えた空気調整装置であって，前記電気又は電子部品が前記空気の温度を検出する温度検出器，空気の臭いを検出する臭いセンサ，塵埃の臭いを検出する臭いセンサ，或いはこれらのセンサを収納したセンサケースである請求項５に記載の空気調整装置。
【発明の詳細な説明】
【技術分野】
【０００１】
本発明は，空気中の塵埃を除去するフィルタを清掃するフィルタ清掃装置と協働する電気又は電子部品等の清掃装置及びこの電気又は電子部品の清掃装置を搭載した空気調和機等の空気調整装置に関するものである。
【背景技術】
【０００２】
従来，この種の空気調和機として，特許文献１には，塵埃を除去するブラシを備えたダストボックスをフィルタに接触するように配設し，フィルタを移動させることによりフィルタ全体を除塵するフィルタ清掃装置が開示されている。
【０００３】
また，特許文献２には，フィルタに付着した塵埃を吸入する，移動可能な吸込ノズルを設け，この吸込ノズルに吸込みダクトを接続し，該ダクトを通して吸引排気装置により，吸込んだ塵埃を室外に排気するようにしたフィルタ装置が開示されている。
また，これらの空気調和機では，空気の温度を検出して圧縮機の運転状態を制御することで，室内に供給する空気温度を適切に調整する。また，近年においては，空気中の臭いや塵埃を検出して運転状態を変化させる空気調整装置が知られており，上記空気の温度を検出するためのサーミスタ，空気の中の臭いや塵埃を検出する臭いセンサや埃センサ等を備えている。
【特許文献１】特開２００５−１８８８０８号公報
【特許文献２】特開２００４−２８３７０３号公報
【発明の開示】
【発明が解決しようとする課題】
【０００４】
上記特許文献１或いは２記載の空気調和機においては，フィルタに付着した塵埃をブラシで掻き落としたり，空気力で除去したりすることが出来，フィルタの目詰まりを自動的に解消できる点で優れたものである。
【０００５】
一方，これら従来の空気調和機においては，前記のように通過する空気の状態を監視するために，前記空気温度検出用サーミスタ，その他の臭いセンサ，埃センサを設けているが，これらのセンサ類も空気の状態を検出するためのものであるから，空気の流れの中に設置することが望ましい。
【０００６】
そのため，上記のようなサーミスタなどのセンサ，或いはこれらを収納したケースの流通空気への開口部は，前記フィルタと同様に経時的に汚れが蓄積して，汚れの層が通過する空気とセンサとの間を隔てることになるので，時間の経過と共に，その検出精度が低下するという問題があった。
このような温度センサ等の汚れを落とすには，作業者が手作業でセンサなどを拭けばよいのであるが，これでは作業者の負担が重くなる。
また，温度センサ等を掃除する装置を別途取付けてもよいが，この場合には新たな駆動部や，複雑な制御が必要となり，高価な装置となる欠点が新たに発生する。
【０００７】
従って本発明は，上記事情に鑑み，高価な部品等を追加することなく，上記温度センサ等の電気又は電子部品を自動的に清掃できる清掃装置の提供を第１の目的とする。
また，特に，フィルタの清掃を行う動作に伴って同時に上記電気又は電子部品の清掃を可能とする電気又は電子部品の清掃装置及びこれを搭載した空気調整装置の提供を第２の目的とする。
【課題を解決するための手段】
【０００８】
上記目的を達成するため，本発明は，空気吸引部に走行自在に設けられ，該空気吸引部を通過する空気中の塵埃を除去するフィルタと，該フィルタに対して相対的に移動自在で，該フィルタに付着した塵埃を除去する除塵手段と，前記空気吸引部の近傍に設けられた電気又は電子部品とを備えてなる電気又は電子部品の清掃装置において，前記フィルタに取付けられ，前記フィルタの前記空気吸引部に対する移動に伴って移動し，前記電気又は電子部品と接触して該電気又は電子部品の表面を清掃する移動ブラシとを備えてなる電気又は電子部品の清掃装置として構成される。
このような電気又は電子部品の清掃装置では，フィルタに付着した塵埃を除去する除塵手段がフィルタに対して相対的に移動してフィルタの除塵動作を行う時に，同時に移動ブラシが電気又は電子部品の表面を清掃するので，除塵手段の移動によってフィルタの除塵と電気又は電子部品の清掃とが一挙に達成される。従って，電気又は電子部品の清掃のために特別な装置を設ける必要がなく，きわめて安価に電子部品の清掃作業を行うことが出来る。
上記除塵手段は，具体的には，前記フィルタを案内する案内路を有し内部に空気流路を発生する除塵ボックスと，該除塵ボックス内でその長さ方向に沿って配置された清掃ブラシと，該清掃ブラシを回転駆動するモータと，前記フィルタを除塵ボックスの長さ方向と直交する方向に相対的に往復移動させながら，前記モータにより清掃ブラシを回転駆動させてフィルタの表面に付着した塵埃を強制的に離脱させる駆動制御装置とを備えて構成されうる。
このような除塵手段では，前記フィルタを除塵ボックスの長さ方向と直交する方向に相対的に往復移動させながら，モータにより清掃ブラシを回転駆動させてフィルタの表面に付着した塵埃を強制的に離脱させることが出来る。
【０００９】
また，上記構成によると，除塵ボックスの案内路に沿ってフィルタを相対的に往復移動させながら，清掃ブラシを回転駆動させてフィルタの表面に付着した塵埃を強制的に離脱させるので，フィルタの表面にこびり付いた頑固な汚れも強制的に浮き上がらせて取り除くことができる。
【００１０】
この際，清掃ブラシの回転方向は以下のように設定することができる。すなわち，清掃ブラシの回転方向を一定方向になるようにモータを制御する。このような制御は，モータの回転方向を一定方向とするので，簡単な制御となる。なお，この際の清掃ブラシの回転方向は，往動又は復動するフィルタに対して対向する方向に回転させるのが好ましい。また，清掃ブラシは，フィルタの往復動のうち往動時に回転駆動する方が復動時に回転駆動する場合よりもフィルタの表面に付着した塵埃を取り除きやすくなる。
【００１１】
また，モータは，その電圧起動時のロータ位置に応じてモータの回転方向が定まるように設定され，清掃ブラシの回転方向が任意の方向とすることもできる。
【００１２】
上記構成によると，電圧起動時のロータ位置に応じてモータの回転方向が正転又は反転するので，１／２の確率で回転方向が変わることになる。そのため，モータが一方向に回転し，清掃ブラシも一方向ばかり回転する場合に比べて，塵埃がフィルタ上を前後に往復動することになり，長期的にみればフィルタの片方の端に埃が溜まるのを防止することができる。
【００１３】
さらに，モータは，その回転方向が正回転と逆回転との組み合わせからなるようにシーケンス制御することもできる。上記構成により，多少制御は複雑になるが，確実にフィルタの片方の端に埃が溜まるのを防止することができる。
【００１４】
なお，清掃ブラシは，その形状を特に限定するものではないが，回転軸の周囲に対して螺旋状に配置された複数枚の弾性ブレードを有するものが例示できる。この構成によると，複数枚の弾性ブレードによりフィルタを傷付けることなく，確実にフィルタ表面に塵埃を除去することができる。
【００１５】
また，除塵ボックス内に空気流を発生させる空気流発生手段が設けられ，前記清掃ブラシによりフィルタから強制的に離脱させた塵埃を空気流発生手段により除塵ボックスから除去することができる。
【００１６】
上記構成によると，清掃ブラシによりフィルタの表面に付着した塵埃を強制的に離脱させることができ，離脱した塵埃は空気流発生手段により除塵ボックスから除去することができる。
【００１７】
この場合，除塵ボックスがフィルタを横切るように配置され，空気流発生手段として，除塵ボックスのフィルタ横断方向一端側に形成された吸気口と，他端側に接続されて空気を吸引する吸引手段とから構成することができる。
【００１８】
上記構成によると，除塵ボックスをフィルタを横切るように配置し，除塵ボックスの一端側の吸気口から空気を吸込み，他端側から外部に排出するようにしているので，従来のように大きな吸込口から空気を吸込む必要がなく，空気流発生手段として風量の大きなものを必要とせず，装置の小型化が実現できる。
【００１９】
さらに，除塵ボックスをフィルタを挟んでその表裏両側に夫々配置し，両除塵ボックス間に形成された隙間をフィルタの案内路とすることができる。この構成によると，フィルタの表裏両面を同時に吸引して清掃することができ，清掃効率が向上する。その際，清掃ブラシを設けたので，フィルタの表裏両面に付着した塵埃を確実に除去することができる。
【００２０】
なお，この種のフィルタ清掃装置は，吸込口から吹出口に至る空気通路に介在されて，空気中の塵埃を除去するフィルタを備えた空気調整装置に搭載することで，空気調整装置を大型化することなく，フィルタ清掃機能を付加することができる。この空気調整装置としては，空気中の塵埃を除去するフィルタを備えているものであれば特に限定されず，例えば，空気調和機，加湿機，除湿機，空気清浄機，暖房機等を挙げることができる。
【発明の効果】
【００２１】
以上のとおり，本発明によると，空気吸引部に走行自在に設けられ，該空気吸引部を通過する空気中の塵埃を除去するフィルタと，該フィルタに対して相対的に移動自在で，該フィルタに付着した塵埃を除去する除塵手段と，前記空気吸引部の近傍に設けられた電気又は電子部品とを備えてなる電気又は電子部品の清掃装置において，前記フィルタに取付けられ，前記フィルタの前記空気吸引部に対する移動に伴って移動し，前記電気又は電子部品と接触して該電気又は電子部品の表面を清掃する移動ブラシとを備えてなる電気又は電子部品の清掃装置が提供される。
その結果，フィルタに付着した塵埃を除去する除塵手段がフィルタに対して相対的に移動してフィルタの除塵動作を行う時に，同時に移動ブラシが電気又は電子部品の表面を清掃するので，除塵手段の移動によってフィルタの除塵と電気又は電子部品の清掃とが一挙に達成される。従って，電気又は電子部品の清掃のために特別な装置を設ける必要がなく，きわめて安価に電子部品の清掃作業を行うことが出来る。
【発明を実施するための最良の形態】
【００２２】
以下，本発明の実施の形態であるフィルタ清掃装置を図面に基づいて説明する。本実施形態においては，空気調整装置として冷暖房機能をメイン機能とするセパレート型空気調和機の室内ユニットを用い，この室内ユニットに本発明に係るフィルタ清掃装置を搭載した例を説明する。図１は空気調和機の室内ユニットの外観斜視図であり，図２はその断面図を示す。
【００２３】
本実施形態の空気調和機は，図１及び図２に示すように，室内ユニット本体１の上部と下部にはそれぞれ吸込口２と吹出口３とが形成されており，ユニット本体１の内部の吸込口２から吹出口３に至る通風路には，吸込口２側を上流側として，フィルタ４，室内熱交換器５，送風ファン６がこの順に配置され，また，フィルタ４を清掃するフィルタ清掃装置４０が設けられている。
更に図２及び図３に示すように，上記吸引口２を形成する上面ギャラリ２ａの裏面には，吸引口２を通過する空気と触れて，この空気の温度を検出する温度センサＳ１が取付けられていると共に，上記フィルタ４の上記上面ギャラリと対向する面には，フィルタ４の移動に伴って上記温度センサＳ１の検出面と接触して，この検出面上に付着した汚れを除去する移動ブラシＢ１が設けられている。フィルタ４の移動については追って詳述する。
【００２４】
吹出口３には，空気の流れの向きを上下方向に変えるルーバー９が揺動自在に取り付けられている。このルーバー９は冷暖房気流の送風をＯＦＦしたときには速やかに稼働し，図示のごとく，吹出口３を閉じた状態にする。
【００２５】
そして，室内ユニットの運転を開始すると，送風ファン６が稼動して吸込口２から室内空気が吸い込まれ，室内空気はフィルタ４を通過して室内熱交換器５と接触して熱交換され，空気調和された室内空気が吹出口３から室内に放出される。
【００２６】
室内ユニット本体１の前面部分は，前面パネル７によって開閉自在に覆われている。前面パネル７の内側にはフィルタガイド８が形成されており，図３に示すように，前面パネル７を上方に引き上げて開けることにより，これに連動してフィルタガイド８の先端が回動して前方に向き，これによりフィルタ４を着脱自在に挿入することができる。前面パネル７を閉めると，フィルタガイド８の先端も連動して下方に回動し，図２に示すように，フィルタ４が室内ユニット本体１内にセットされるようになっている。
【００２７】
吸込口２は，室内ユニット本体１の上面の左右両側２箇所に形成されており，その下方（下流側近傍）には，図４に示すように，各吸込口２に対応して縦長長方形に形成されたフィルタ４が左右横並びに２枚配置されている。フィルタ４の横方向の長さは，各吸込口２とほぼ同じ長さに形成されている。フィルタ４の縦方向の長さは，吸込口２の縦方向長さよりも長く形成され，フィルタ４の下部は前面パネル７を閉じた状態でフィルタガイド８に沿って屈曲保持されている。
【００２８】
フィルタ４を清掃するフィルタ清掃装置４０は，フィルタ４の表面を覆う表側の除塵ボックス１０（以下，表側ボックス１０という）と，フィルタ４の裏面を覆う裏側の除塵ボックス１１（以下，裏側ボックス１１という）と，表側の除塵ボックス１０内でその長さ方向に沿って配置された清掃ブラシ４１と，表裏のボックス１０，１１内に空気流を発生させる空気流発生手段４２（図４参照）と，フィルタ４を表裏のボックス１０，１１に対してその長さ方向と直交する縦方向に相対的に往復移動させる移動手段４３とを備えている。
【００２９】
表裏の除塵ボックス１０，１１は，図４に示すように，前記フィルタを横切るように配置され，吸込口２よりもやや前方，すなわち，吸込口２が形成された上面パネル１３と，前面パネル７との境界付近のフィルタ４部分を挟んで対向配置されており，これにより吸込口２から吸込んだ空気がフィルタ４を通過するのを妨げないようにしている。
【００３０】
表側ボックス１０および裏側ボックス１１は，図５に示すように，細長い半割状の筒体から構成され，左右に並べて配置された２枚のフィルタ４を横切るように長手方向をフィルタ横方向に配向させて設置され，また，フィルタ４を挟んで両者の開口端面同士１０ａ及び１１ａが対向するように間隔Ｘをあけて配置され，その隙間１８がフィルタ４の案内路とされている（図５参照）。
【００３１】
また，図４に示すように，表側ボックス１０及び裏側ボックス１１の長手方向一端側には吸気口１５が形成され，他端側は両者の間に間隔Ｘを保持した状態で吸引配管１４に嵌合保持され，吸引配管１４の他端側には吸引手段としての吸引ファン１２に接続されている。
【００３２】
すなわち，表裏の除塵ボックス１０，１１は，互いに対向配置されることにより，一端側に吸気口１５が形成され，他端側に吸引ファン１２が接続されたボックス体１６を構成し，内部空間が空気流路１７とされる。この空気流路１７は，ボックス体１６の吸気口１５を入口とし，この入口から吸引ファン１２まで空気を吸引することで空気流を発生させる構成とされている。これら吸引ファン１２，吸引配管１４，吸気口１５，ボックス体１６，空気流路１７により空気流発生手段４２が構成されている。
【００３３】
また，図６に示すごとく，表側ボックス１０の開口端縁部には，断面半円筒状の弾性シール材４６が取り付けられ，フィルタ４と弾性的に接触してフィルタ４を縦方向にスムーズに案内できるようにしている。
【００３４】
なお，本実施形態では，図２に示すように，表裏のボックス１０，１１のうち，フィルタが汚れやすいフィルタ表面側と接触する表側の除塵ボックス１０のみに清掃ブラシ４１を配置する構成としたが，表裏の除塵ボックス１０，１１の両方に清掃ブラシを配置する構成であってもよい。
【００３５】
また，ボックス体１６は，表側ボックス１０と，裏側ボックス１１とを別体として形成し，これを対向配置するようにしているが，筒状体の長手方向に２つのスリットを設けることにより，表側ボックスと裏側ボックスとを一体的に形成することも可能である。
【００３６】
図６に示すように，清掃ブラシ４１は，回転軸４１ａと，その周囲に螺旋状に配置された複数枚（本実施形態では２枚）の弾性ブレード４１ｂとから構成され，吸引配管１４（図４参照）側に設けられた電動モータ４７により回転駆動される。
【００３７】
回転軸４１ａは，図４に示す一端の吸気口１５側と他端の吸引配管１４側で共に軸受４４，４５（図６）に回転自在に支持されているが，吸引側の軸受４５部分は吸引配管１４に連通され，表裏の除塵ボックス１０，１１から空気と共に吸引された塵埃は，上記軸受４５の周囲を通って吸引配管１４に流出するように設定されている。
【００３８】
一方，弾性ブレード４１ｂは，フィルタ４の表面に弾性的に接触するように配置され，モータ４７を回転することによりフィルタ４の表面に付着した塵埃を掻き上げ浮き上がらせるように作用する。この弾性ブレード４１ｂは，図６に示すように，回転軸４１ａの一端吸気口１５側から他端側まで，回転軸４１ａの軸方向に沿って２周巻き程度の螺旋巻きに形成されるが，その他端の吸引配管１４側の端部では，弾性ブレード４１ｂが回転軸４１ａの軸方向で外端側に延設され，該延設部４１ｃが回転軸４１ａの軸受４５の周囲に位置するように設定され，軸受４５に堆積しやすい塵埃を吸引配管１４側へ流出するように設定されている。
【００３９】
図５（ａ）（ｂ）（ｃ）は夫々異なる電動モータの制御手法を示すフィルタ清掃装置の概要図である。同図（ａ）は，電動モータ４７は，清掃ブラシ４１の回転方向を一定方向になるようにマイクロコンピュータからなる制御部５０により制御される。このような制御は，電動モータ４７の回転方向を一定方向とするので，簡単な制御となる。この際の清掃ブラシ４１の回転方向は，フィルタ４の往動時にフィルタ４の移動方向と対向する方向で回転駆動される。例えば，図５（ａ）に示すように，フィルタ４がＡ方向に移動するとき，清掃ブラシ４１の回転方向は，Ａ方向と対向するＢ方向に回転駆動され，フィルタ４の表面に付着した塵埃を取り除きやすくする。
【００４０】
図５（ｂ）は，電動モータは，その電圧起動時のロータ位置に応じてモータの回転方向が定まるように設定される。清掃ブラシ４１はどの方向に回転するか不定である。通常，電動モータ４７には，起動時の回転方向に一定方向にするために，停止時のロータ位置を制御するロック機構（図示略）が設けられている。このロック機構は，周知のとおり，ロータ（図示略）に係脱自在に設けられている電磁プランジャー等から構成されているが，このロック機構を廃止する。そうすると，ロータの停止位置は不定となり，再起動時には，その停止したロータ位置に応じて電動モータ４７の回転方向が正転又は反転することになる。
【００４１】
したがって，電動モータ４７に連結される清掃ブラシ４１は，１／２の確率で回転方向が変わることになる。このような電動モータ４７の制御を行うと，モータの回転方向が一方向で，清掃ブラシ４１も一方向に回転する場合には，フィルタ４の片方の端に埃が溜まってしまうおそれがあるが，１／２の確率で回転方向が変わるので，塵埃がフィルタ上を前後に往復移動することになり，長期的にみればフィルタ４の片方の端に埃が溜まるのを防止することができる。
【００４２】
図５（ｃ）は電動モータ４７をその回転方向が正回転と逆回転との組み合わせからなるように制御部５０によりシーケンス制御するものである。制御部５０では，例えば，清掃運転１回おきに回転方向を逆にする，あるいは，清掃運転の１０回に１回は回転方向を反対方向にする制御を行う。
【００４３】
上記構成においては，電動モータ４７のシーケンス制御により多少制御が複雑になるが，回転方向が常に一定の場合のようにフィルタ４の片方の端に埃が溜まるようなおそれもなく，フィルタ４上の塵埃を確実に除去することができる。
【００４４】
また，表裏の除塵ボックス１０，１１は，左右両側の吸込口２に亘って左右方向に長く形成されるが，図６に示すように，表裏の除塵ボックス１０，１１の中間位置で補強材４８を差渡して補強する構造であってもよい。この場合，清掃ブラシ４１の弾性ブレード４１ｂが補強材４８に擦れて異音を発生するのを防止するために，弾性ブレード４１ｂの軸方向で中央部分を切欠いて凹部４９を形成し，回転時に補強材４８を回避できるようにしてもよい。
【００４５】
フィルタ４は，図９及び図１０に示すように，メッシュフィルタ１９と，メッシュフィルタ１９を補強すべく，その周囲に設けられた合成樹脂製の枠体３１とを備えており，枠体３１は，縦枠３２及び横枠３３から構成されている。さらに，フィルタ４は，縦リブ２０及び横リブ２１で補強されている。
【００４６】
縦リブ２０及び横リブ２１は，合成樹脂製でそれぞれメッシュフィルタ１９の表面に等間隔に複数形成されている。横枠３３及び横リブ２１がフィルタ４の反りや波うちを防止するために突状に，すなわち，厚肉に形成されているのに対して，縦枠３２及び縦リブ２０は，横枠３３及び横リブ２１に比べて薄肉に形成されている。これにより，フィルタ４は，横方向の剛性を維持しつつ，縦方向には容易に屈曲可能とされている。
【００４７】
縦枠２の外縁部には縦方向にラック部２２が設けられている。ラック部２２は，図２に示すように後述する移動手段４３であるピニオン２８に噛合してフィルタ４を縦方向に往復移動させるものであり，帯状材を波形に成形した形状を有し，この山部がラックとして機能するようになっている。
【００４８】
また，ラック部２２は，図１１に示すように，隣接する横リブ２１とは分離して形成されている。このように，ラック部２２を波形に形成し，かつ隣接する横リブ２１と分離することにより，フィルタ４の縦方向の屈曲性が維持される。
【００４９】
フィルタ４の上部には，上述のごとく，吸込口２から吸込まれた空気を通過させるメッシュフィルタ１９が張設されており，フィルタ下部はメッシュフィルタ１９の代わりに薄い樹脂製シート２３が使用され，フィルタ下部は空気が通過しない構造とされている。なお，樹脂製シート２３は，縦リブ２０と同様に薄肉に形成されており，これによりフィルタ４全体にわたって縦方向の屈曲性が確保されている。
前記縦枠３２の前記ラック２２が形成されていない部分には，前記移動ブラシＢ１が取付けられている。このような移動ブラシＢ１の取り付け場所は，必ずしも上記縦枠３２である必要はなく，例えば，縦リブ２０の一部に設けた移動ブラシＢ２であってもよい。
そして前記電気又は電子部品の一例としての温度センサＳ１は，上記移動ブラシＢ１又はＢ２の移動経路に対向した前記上面ギャラリ２ａの裏面に取付けられる。
上記上面ギャラリ２ａ上での取付位置は，上記移動ブラシＢ１に対応して図４に示すような右側のフィルタの右端，左側のフィルタの左端，或いは，移動ブラシＢ２に対応していずれかのフィルタの中間部であってもよい。
【００５０】
フィルタ４を縦方向に往復移動させる移動手段４３は，図１２に示すように，フィルタ４を保持するフィルタ保持手段２４と，モータ２５によってフィルタ４を移動させる駆動手段２６とを備えている。
【００５１】
フィルタ保持手段２４は，図２に示すように，フィルタ４の左右両端部を挿入可能な左右一対の案内路から構成されている。この案内路は，図２に示すように，側面視で略Ｕ字型に形成される。図２において黒塗り部分及び網掛け部分が案内路である。
【００５２】
また，フィルタ保持手段２４は，図２に示すように，吸込口２に沿って設けられており，吸込口２よりも前方側ではゆるやかに下方に傾斜しつつ，表側ボックス１０及び裏側ボックス１１の間を通過し，そこから前面パネル７に沿ってほぼ垂直に下降した後に，内側にＵターンして吸込口に向って上昇するＵ字形経路２４ａが形成されている。なお，前述したフィルタガイド８は，前面パネル７を閉じた状態でフィルタ保持手段２４の一部を構成するようになっている。
【００５３】
駆動手段２６は，図２に示すように，モータ２５（図１２参照）と，モータ２５に連結された駆動ギヤ２７と，駆動ギヤ２７に噛合するピニオン２８及びゴムローラ２９とから構成されている。ゴムローラ２９の回転軸には図示しないピニオンと同形のギヤが取り付けられており，これによりピニオン２８とゴムローラ２９とは同じ方向に回転するようになっている。
【００５４】
ピニオン２８は，ボックス体１６の近くのフィルタ保持手段２４から一部露出して，フィルタ４に設けられた前記ラック部２２（図９参照）の裏面側に噛合するように配置される。ゴムローラ２９は，Ｕ字形案内路２４ａに一部露出するように配置され，Ｕ字形案内路２４ａ中のフィルタ４の裏面側に当接して回転することにより，その摩擦力によって屈曲状態のフィルタ４の移動がスムーズに行なえるようにフィルタ４の駆動を補助する。
【００５５】
なお，モータ２５は，図１２に示すように，２組の駆動手段２６に対して１台とし，左右に配された各駆動ギヤ２７がモータ２５に連結された同一の回転軸３０に固定され，左右同期して回転駆動する。
【００５６】
フィルタ４を室内ユニット本体１にセットする場合は，メッシュ部４９が設けられたフィルタ上部を先頭にして，フィルタガイド８からフィルタ保持手段２４内に挿入し，フィルタ４を吸込口２を覆うようにその下方に配置する。このとき，両ボックス１０及び１１の隙間１８の間隔Ｘは，横リブ２１の厚さとフィルタの厚さを合せた厚さＹよりも若干大きくなるように設定しておくことにより，フィルタ４と両ボックス１０及び１１との間で大きな摩擦を生じることなく，スムーズにフィルタ４をセットすることが可能となる。
【００５７】
また，図５に示すように，フィルタ４には，ボックス１０及び１１の幅（塵埃除去ボックスの開口端面１０ａ及び１１ａ間の距離Ｘ）とほぼ同じ間隔で横リブ２１（図９参照）が形成されている。これにより，ボックス体１６に形成される２ヶ所の隙間１８に横リブ２１を位置させて隙間１８を塞ぐようにしている。このように，表側ボックス１０，裏側ボックス１１及びその間に介在する横リブ２１とで隙間のない筒状のボックス体１６を形成することが可能となる。
【００５８】
なお，本実施形態では，隙間１８は，横リブ２１の厚さとフィルタの厚さを合せた厚さよりも若干大きくなるように設定しているが，これはフィルタの反り等を考慮してフィルタ４の挿入をスムーズにするためであり，吸引ファン１２を稼動させると，空気流路１７内が負圧になり，除塵ボックス同士が密着するため，実質的にはＸとＹとをほぼ同じに設定した場合と同じ吸引力を得ることができる。
【００５９】
上記構成において，空気調和機の運転を行なうと，室内ユニット本体１の吸込口２から空気が吸い込まれ，メッシュフィルタ１９の表面に空気中の塵埃Ａが付着する。室内機ユニット１内には，入力回路，ＣＰＵ，メモリ，出力回路を備えた制御手段が設けられており，制御手段がフィルタ４の清掃が必要と判断した場合，例えば，空気調和機の運転時間が所定時間（例えば２００時間）に達したと判断した場合や，前回のフィルタ４の清掃終了から所定時間（例えば２４時間）が経過した場合や，光センサ等の汚れ検出手段の検出結果等に基づいてフィルタ４表面が汚れていると判断した場合に，吸引ファン１２や移動手段等の稼動を制御してフィルタ４の清掃が行なわれる。
【００６０】
その場合，清掃中に内部に埃が侵入するのを防止するため，空気調和機の運転を停止した状態で清掃を行う必要があるため，制御手段では，清掃が必要と判断してから最初の空気調和機の運転の開始時や終了時に清掃を行うのが望ましい。
【００６１】
フィルタの清掃操作においては，フィルタ４が図２の位置にある状態でまず，モータ２５の駆動により移動手段４３が稼動し，フィルタ４を縦方向に横リブ２１間の間隔ｚ（図９参照）だけ移動させて，即ち，清掃ブラシ４１等の除塵手段に対して相対的に移動させた後，停止する。この移動の間にで，空気流発生装置の一例である吸引ファン１２を稼動し，空気流路１７の入口である吸気口１５から吸引ファン１２まで空気を吸引する。同時に，電動モータ４７により清掃ブラシ４１を回転させて弾性ブレード４１ｂによりフィルタ４の表面に付着した塵埃を掻き上げ浮き上がらせて，吸引ファン１２による空気流によって塵埃を吹き飛ばして除塵する。
【００６２】
吸引ファン１２によって除去された塵埃は，空気流路１７と吸引ファン１２との間に集塵パックを設置してそこに捕集したり，吸引ファン１２から屋外に排気することができる。以後，上記フィルタの移動動作を繰り返すことにより，フィルタ４の清掃を行なうことができる。
また，上記したフィルタ４の移動に伴ってフィルタ４に取付けた移動ブラシＢ１
またはＢ２が上面ギャラリ２ａの裏面に設けた温度センサＳ１の検出面と接触し，
この検出面上に蓄積した汚れが拭き取られる。その結果，フィルタ２の移動によっ
て，フィルタ４の除塵と，温度センサＳ１の汚れの拭き取りとが一挙に達成される
。汚れが拭き取られた温度センサＳ１の検出精度は高いままに維持される。
こうして汚れた移動ブラシＢ１又はＢ２は，フィルタ４が更に移動することでやがて吸引ファン１２による吸気が作用するボックス体１６内を通過するときに弾性ブレード４１ｂにより清掃される。
【００６３】
また，フィルタ４を縦方向に移動させてフィルタ４を最後まで清掃した場合，フィルタ４はフィルタ保持手段２４及びＵ字型経路２４ａ内に屈曲保持されるため，フィルタ４が室内機の外部に露出することがなく，美感を損ねるおそれがない。また，清掃が終了すると，モータ２５の逆転によってフィルタ４は移動手段４３によって図２に示す元の位置まで移動される。
【００６４】
このように，本実施形態では，除塵ボックス１０，１１の案内路１８に沿ってフィルタ４を移動させながら，清掃ブラシ４１を回転駆動させてフィルタ４の表面に付着した塵埃を強制的に離脱させ，かつ，離脱して浮き上がった塵埃を空気流発生手段によって発生した空気流によって表裏の除塵ボックス１０，１１から吸引ファン１２側に排出させるので，フィルタ４の表面にこびり付いた頑固な汚れも強制的に浮き上がらせて取り除くことができる。
【００６５】
このとき，清掃ブラシ４１を回転駆動する電動モータ４７では，その回転方向を一定方向としているので，制御が簡単になる。また，清掃ブラシ４１の回転方向は，フィルタ４の往動時にフィルタ４の移動方向と対向する方向に回転駆動されているので，フィルタ４の表面に付着した塵埃を取り除き易くなる。
【００６６】
また，回転軸の吸引ファン側に形成された弾性ブレード４１ｂ（図６参照）の延設部４１ｃが回転軸４１ａの軸受４５の周囲に配置されるので，吸引された塵埃を含んだ空気が弾性ブレード４１ｂの端部から軸受４５に侵入するのを防止することができる。
【００６７】
なお，上記実施形態では，電動モータ４７の回転方向は図５（ａ）に示すように，一定回転方向に制御したが，これに代わり，図５（ｂ）のように，電動モータ４７の電圧起動時のロータ位置に応じてモータの回転方向が定まるように設定し，清掃ブラシ４１の回転方向を任意の方向とすることもできる。これにより，電動モータ４７に連結される清掃ブラシ４１は，１／２の確率で回転方向が変わることになるため，電動モータ４７が一方向に回転し，清掃ブラシ４１も一方向に回転する場合に比べて，塵埃がフィルタ上を前後に往復移動することになり，長期的にみればフィルタ４の片方の端に埃が溜まるのを防止することができる。
【００６８】
また，図５（ｃ）に示すように，電動モータ４７の回転方向が正回転と逆回転との組み合わせからなるようにシーケンス制御することもできる。これにより，多少制御が複雑になるが，確実にフィルタ４の片方の端に埃が溜まるのを防止することができる。
【００６９】
なお，本発明は，上記実施形態に限定されるものではなく，本発明の範囲内で多くの修正・変更を加えることができるのは勿論である。例えば，本実施形態においては，表側ボックス１０と裏側ボックス１１とで構成されるボックス体１６の長手方向の一端側は全面開放された吸気口１５としているが，吸気口１５の開口面積を小さくすることも可能である。この場合，空気流路１７を流れる空気の流速を速めることができ，フィルタ表面に付着した塵埃を効率よく除去することが可能となる。
【００７０】
さらに，フィルタ４の表面に形成される横リブ２１は，両除塵ボックス１０及び１１の幅とほぼ同じ間隔で形成されているが，間隔Ｚを等分割する間隔で形成することもできる。また，上記実施形態では，フィルタを縦方向に移動させているが，これに代わり，除塵ボックスおよび清掃ブラシをフィルタに対して移動する方式であってもよい。
また，本発明の実施形態では，電気又は電子部品の一例として，空気の温度を検出する温度センサの場合について説明したが，本発明においては，これにこだわることなく例えば室内空気の臭いを検出する臭いセンサ，埃を検出する埃センサ等であってもよい。
また本発明は，空気調整装置のみでなく，空気を処理するための装置であって，通過する空気の塵埃を除去するフィルタを備えた装置であれば，いかなる装置にも適用可能であることは言うまでもない。
【図面の簡単な説明】
【００７１】
【図１】本発明の実施形態を示す空気調和機の室内ユニットの斜視図。
【図２】室内ユニットの断面図。
【図３】室内ユニットの前面パネル開放状態を示す一部断面図。
【図４】室内ユニットのパネルを外した状態を示す斜視図
【図５】（ａ）（ｂ）（ｃ）は夫々異なるモータ制御手法を示すフィルタ清掃装置の概要図。
【図６】除塵ボックスの分解斜視図。
【図７】除塵ボックスの断面図。
【図８】除塵ボックスの清掃ブラシを示す斜視図。
【図９】（ａ）は室内ユニットで使用されるフィルタの平面図，（ｂ）はＡ−Ａ断面図，（ｃ）はＢ−Ｂ断面図。
【図１０】フィルタの斜視図。
【図１１】図１０の一部拡大斜視図。
【図１２】室内ユニットのフィルタを取り外した状態を示す斜視図。
【符号の説明】
【００７２】
Ｓ１…温度センサ（電子部品）
Ｂ１，Ｂ２…移動ブラシ
１…室内ユニット本体
２…吸込口
３…吹出口
４…フィルタ
５…室内熱交換器
６…送風ファン
７…前面パネル
８…フィルタガイド
９…ルーバー
１０…表側の除塵ボックス
１１…裏側の除塵ボックス
１２…吸引ファン
１３…上面パネル
１４…吸引配管
１５…吸気口
１６…ボックス体
１７…空気流路
１８…隙間
１９…メッシュフィルタ
２０…縦リブ
２１…横リブ
２２…ラック部
２３…樹脂製シート
２４…フィルタ保持手段
２５…モータ
２６…駆動手段
２７…駆動ギヤ
２８…ピニオン
２９…ゴムローラ
３０…回転軸
３１…枠体
３２…縦枠
３３…横枠
４０…フィルタ清掃装置
４１…清掃ブラシ
４１ａ…回転軸
４１ｂ…弾性ブレード
４１ｃ…延設部
４２…空気流発生手段
４３…移動手段
４４，４５…軸受
４７…電動モータ
５０…制御部
【図１】
2008215688.tif 000003
【図２】
2008215688.tif 000004
【図３】
2008215688.tif 000005
【図４】
2008215688.tif 000006
【図５】
2008215688.tif 000007
【図６】
2008215688.tif 000008
【図７】
2008215688.tif 000009
【図８】
2008215688.tif 000010
【図９】
2008215688.tif 000011
【図１０】
2008215688.tif 000012
【図１１】
2008215688.tif 000013
【図１２】
2008215688.tif 000014